(57)【要約】【課題】にぎり易く、軽くてコスト削減を図ることができる簡易筆記具を提供すること。【解決手段】一端に鉛筆芯１１が保持され、他端にクリップ片３０が設けられた軸本体２０を有する簡易筆記具１０において、軸本体２０における把持部（中央部分２３）が太径に形成され、把持部（中央部分２３）に溝部２２が形成されている。【選択図】  図１
0003152588.tif 000002
【実用新案登録請求の範囲】
【請求項１】
一端に鉛筆芯が保持され、他端にクリップ片が設けられた軸本体を有する簡易筆記具において、
前記軸本体における把持部が太径に形成され、該把持部に溝部が形成されていることを特徴とする簡易筆記具。
【請求項２】
前記把持部となる前記軸本体の中央部分の軸心方向に沿って前記溝部が少なくとも１列以上形成され、
前記軸本体中央部分の横断面における前記溝部の面積割合が３０〜５０％の範囲で形成されている部分が、前記軸本体中央部分の長さの４０〜７０％を占めるように形成されていることを特徴とする請求項１記載の簡易筆記具。
【請求項３】
前記溝部が形成された前記軸本体中央部分の横断面が、山の字の底辺を対称軸とした線対象な形状に形成されていることを特徴とする請求項２記載の簡易筆記具。
【請求項４】
前記軸本体中央部分の横断面の前記対称軸方向の径が、該対称軸と直交する方向の径よりも太く形成されていることを特徴とする請求項３記載の簡易筆記具。
【請求項５】
前記溝部の一部に、前記軸本体を貫通する透孔が形成されていることを特徴とする請求項１〜４のいずれかの項に記載の簡易筆記具。
【請求項６】
前記軸本体の他端に、前記クリップ片の形状にくり抜かれた枠部を有するクリップ部が形成され、
前記クリップ片の下面が、前記枠部の上面と略面一となる位置に配置され、
前記クリップ片における前記枠部との連結部分に、吊着するための部材を挿通するための挿通部が形成されていることを特徴とする請求項１〜５のいずれかの項に記載の簡易筆記具。
【考案の詳細な説明】
【技術分野】
【０００１】
本考案は簡易筆記具に関し、より詳細には、携行に便利な使い切りタイプの簡易筆記具に関する。
【背景技術】
【０００２】
従来より、ゴルフ場でのスコア記入等で使用される使い切りタイプの簡易筆記具として、図６に示した形態のものが知られている（下記の特許文献１参照）。図６に示した簡易筆記具５０は、手のひらサイズに形成されたものであり、合成樹脂製の細い丸棒形状をした軸本体５１の一端に鉛筆芯５２が保持され、他端に平板形状をしたクリップ部５３が一体形成された構成となっている。
【０００３】
例えば、ゴルフ場において簡易筆記具５０を利用する場合、クリップ部５３でスコアカードを挟んだ状態にして競技者はポケットに入れておき、スコアを記入するときに適宜ポケットからスコアカードを取り出し、スコアカードに留めてあった簡易筆記具５０でスコアを記入するといった利用がなされている。
【０００４】
簡易筆記具５０は、その形態が非常にシンプルであるため、従来より付加価値を高めるための改良案が種々提案されている（下記の特許文献２〜５参照）。
図７は、特許文献２に開示されたゴルフ用筆記具を示した分解斜視図である。このゴルフ用筆記具６０は、スコアを記録する鉛筆本体６１と、地面慣らし用のフォーク本体６２と、グリーン上で使用するマーカー６３とが一体化されたものである。鉛筆本体６１に、フォーク部を有するフォーク本体６２が回動自在に取付けられ、且つ鉛筆本体６１の枢支部の孔にマーカー６３が着脱自在に取付けられた構成となっている。
また、特許文献３にも、鉛筆とフォークとマーカーとの三者が一体化されたゴルフ携行用具が開示されている。
【０００５】
また、図８は、特許文献４に開示された鉛筆の平面図を示している。この鉛筆７０は、一端に鉛筆芯７１が保持された軸本体７２と、クリップ部７３とが一体となった小型の鉛筆であって、クリップ部７３に小さな文字等を拡大視する凸レンズ７４が設けられた構成となっている。
また、特許文献５には、本体軸部の下端に鉛筆芯が植設され、前記本体軸部の上端に消しゴムが固定された簡易鉛筆が開示されている。
【０００６】
このように、図６に示した簡易筆記具５０に異なる機能を付加することにより、筆記具の付加価値を高める改良案については種々提案されているが、簡易筆記具５０のようなシンプルな筆記具の更なる軽量化や製造コストの削減を図ることができ、且つ筆記時のにぎり易さなどの使用感を優れたものにするための改良についてはこれまで提案されていない。
【０００７】
また、従来の簡易筆記具５０や特許文献２〜５に開示された筆記具には、クリップ部が設けられており、カード等に挟んで利用することができるようになっているが、ポケットにカードと共に入れる際や取り出す際に、ポケットに筆記具が引っ掛かり、カードから外れて紛失したりする場合もあり、携帯性に優れたものではなかった。
【先行技術文献】
【特許文献】
【０００８】
【特許文献１】実開平７−１５３８０号公報
【特許文献２】実開平５−５４９５号公報
【特許文献３】特開平９−４７５３３号公報
【特許文献４】意匠登録第１０３２４０２号公報
【特許文献５】特開２００５−１３１７９３号公報
【考案の概要】
【課題を解決するための手段及びその効果】
【０００９】
本考案は上記課題に鑑みなされたものであって、にぎり易く、かつ軽い形態にすることができ、また、コスト削減を図ることができ、さらに携帯性にも優れた簡易筆記具を提供することを目的としている。
【００１０】
上記目的を達成するために本考案に係る簡易筆記具（１）は、一端に鉛筆芯が保持され、他端にクリップ片が設けられた軸本体を有する簡易筆記具において、前記軸本体における把持部が太径に形成され、該把持部に溝部が形成されていることを特徴としている。
【００１１】
上記簡易筆記具（１）によれば、前記軸本体における把持部が太径に形成され、該把持部に溝部が形成されているので、にぎり易く、かつ軽い形態にすることができ、文字等が書き易く使用感に優れたものとすることができる。
【００１２】
また本考案に係る簡易筆記具（２）は、上記簡易筆記具（１）において、前記把持部となる前記軸本体の中央部分の軸心方向に沿って前記溝部が少なくとも１列以上形成され、前記軸本体中央部分の横断面における前記溝部の面積割合が３０〜５０％の範囲で形成されている部分が、前記軸本体中央部分の長さの４０〜７０％を占めるように形成されていることを特徴としている。
【００１３】
上記簡易筆記具（２）によれば、前記軸本体の中央部分に形成された前記溝部の体積分ほど、前記軸本体の形成に使用するプラスチック等の材料の使用量を削減することができ、図６に示した従来の簡易筆記具５０等と比較して、製造コストの削減を図ることができ、同時に軽量化も図ることができる。さらに、把持部となる前記軸本体の中央部分に前記溝部が１列以上形成されたことにより、筆記時には、前記溝部に指先が適度に食い込み、指の滑り等が防止でき、グリップ感を高めることができる。
【００１４】
また本考案に係る簡易筆記具（３）は、上記簡易筆記具（２）において、前記溝部が形成された前記軸本体中央部分の横断面が、山の字の底辺を対称軸とした線対象な形状に形成されていることを特徴としている。
【００１５】
上記簡易筆記具（３）によれば、前記溝部が形成された前記軸本体中央部分の横断面が、山の字の底辺を対称軸とした線対象な形状に形成されているので、前記軸本体中央部分の曲げに対する強度を高めることができ、また、前記溝部の深さを大きくすることができ、前記軸本体中央部分の曲げに対する強度を損なうことなく、軽量化及びコスト削減の効果をより一層高めることができる。
【００１６】
また本考案に係る簡易筆記具（４）は、上記簡易筆記具（３）において、前記軸本体中央部分の横断面の前記対称軸方向の径が、該対称軸と直交する方向の径よりも太く形成されていることを特徴としている。
【００１７】
上記簡易筆記具（４）によれば、把持部となる前記軸本体中央部分の横断面の前記対称軸方向の径が、該対称軸と直交する方向の径よりも太く形成されているので、にぎり易く、使用感をより優れたものとすることができる。
【００１８】
また本考案に係る簡易筆記具（５）は、上記簡易筆記具（１）〜（４）のいずれかにおいて、前記溝部の一部に、前記軸本体を貫通する透孔が形成されていることを特徴としている。
【００１９】
上記簡易筆記具（５）によれば、前記溝部の一部に、前記軸本体を貫通する透孔が形成されているので、前記透孔が形成される体積分だけ、さらに軽量化及びコスト削減を図ることができる。
【００２０】
また本考案に係る簡易筆記具（６）は、上記簡易筆記具（１）〜（５）のいずれかにおいて、前記軸本体の他端に、前記クリップ片の形状にくり抜かれた枠部を有するクリップ部が形成され、前記クリップ片の下面が、前記枠部の上面と略面一となる位置に配置され、前記クリップ片における前記枠部との連結部分に、吊着するための部材を挿通するための挿通部が形成されていることを特徴としている。
【００２１】
上記簡易筆記具（６）によれば、前記クリップ片における前記枠部との連結部分に形成された前記挿通部に、前記吊着するための部材、例えば、紐等を通すことができる。したがって、使用者の首等に吊るした状態で携行することが可能となり、携帯性を高めることができ、また、ポケットからの出し入れ等による紛失を防止でき、ポケット内に鉛筆芯が付着するといった洋服の汚れも防止することができる。
【図面の簡単な説明】
【００２２】
【図１】本考案の実施の形態（１）に係る簡易筆記具を示した図であり、（ａ）は平面図、（ｂ）は正面図、（ｃ）は底面図である。
【図２】（ａ）は図１（ａ）におけるIIａ−IIａ線切断部拡大端面図、（ｂ）は図１（ａ）におけるIIｂ−IIｂ線切断部拡大端面図、（ｃ）は図１（ａ）におけるIIｃ−IIｃ線切断部拡大端面図、（ｄ）は図１（ａ）におけるIIｄ−IIｄ線切断部拡大端面図、（ｄ）は図１（ａ）におけるIIｅ−IIｅ線切断部拡大端面図である。
【図３】図１（ａ）におけるIII−III線拡大断面図である。
【図４】実施の形態（２）に係る簡易筆記具を示した図であり、（ａ）は平面図、（ｂ）は正面図、（ｃ）は底面図である。
【図５】（ａ）は、図４（ａ）におけるVａ−Vａ線切断部拡大端面図、（ｂ）は図４（ａ）におけるVｂ−Vｂ線切断部拡大端面図、（ｃ）は図４（ａ）におけるVｃ−Vｃ線切断部拡大端面図、（ｄ）は図４（ａ）におけるVｄ−Vｄ線切断部拡大端面図、（ｅ）は図４（ａ）におけるVｅ−Vｅ線切断部拡大端面図である。
【図６】従来の簡易筆記具を示した平面図である。
【図７】従来の別の簡易筆記具を示した分解斜視図である。
【図８】従来のさらに別の簡易筆記具を示した平面図である。
【考案を実施するための形態】
【００２３】
以下、本考案に係る簡易筆記具の実施の形態を図面に基づいて説明する。図１は、実施の形態（１）に係る簡易筆記具を示した図であり、（ａ）は平面図、（ｂ）は正面図、（ｃ）は底面図である。
【００２４】
また、図２は、実施の形態（１）に係る簡易筆記具の横断面形状を示した図であり、（ａ）は図１（ａ）におけるIIａ−IIａ線切断部拡大端面図、（ｂ）は図１（ａ）におけるIIｂ−IIｂ線切断部拡大端面図、（ｃ）は図１（ａ）におけるIIｃ−IIｃ線切断部拡大端面図、（ｄ）は図１（ａ）におけるIIｄ−IIｄ線切断部拡大端面図、（ｄ）は図１（ａ）におけるIIｅ−IIｅ線切断部拡大端面図を示している。
また、図３は、図１（ａ）におけるIII−III線拡大断面図を示している。
【００２５】
図１に示した簡易筆記具１０は、一端に鉛筆芯１１が保持された軸本体２０と、軸本体２０の他端に配置されたクリップ片３０とが、一体形成されたものである。
軸本体２０は、鉛筆芯１１が保持される芯保持部２１と、軸心方向に沿って溝部２２が形成された中央部分２３と、クリップ片３０と略同一形状にくり抜かれたくり抜き部２４を有する枠部２５とからなり、プラスチックで一体成形されている。
【００２６】
軸本体２０やクリップ片３０に使用されるプラスチックの材料は特に限定されないが、例えば、柔軟性、耐熱性、耐水性に優れているポリエチレン、ポリプロピレン、軟質ポリ塩化ビニル、ポリエチレンテレフタレート等の樹脂が挙げられる。
【００２７】
軸本体２０の各部の長さは、例えば、芯保持部２１の長さＬ１は１０ｍｍ前後、中央部分２３の長さＬ２は５０〜５５ｍｍ程度、枠部２５の長さＬ３は４０ｍｍ前後に設定されており、鉛筆芯１１の長さを含めて全長１１０ｍｍ前後の大きさに形成されている。
【００２８】
本考案に係る簡易筆記具の第１の特徴は、把持部となる軸本体中央部分２３の形状にあり、図２（ｂ）、（ｃ）に示しているように、１列以上（この場合４列）の溝部２２が形成された軸本体中央部分２３の横断面は、山の字の底辺を対称軸Ｚ１とした線対象な形状となっており、平面側と底面側とにそれぞれ２列ずつ溝部２２が形成されている。
【００２９】
図２（ｂ）に示した図１（ａ）におけるIIｂ−IIｂ線切断面における溝部２２の合計面積の割合は、３７〜３８％程度となっており、図２（ｃ）に示した図１（ａ）におけるIIｃ−IIｃ線及びIIｄ−IIｄ線切断部の横断面における溝部２２の合計面積の割合は、４３〜４４％程度となっている。なお、溝部２２の合計面積は、溝部２２が形成されていないIIａ−IIａ線切断面の面積からIIｂ−IIｂ線切断面の面積やIIｃ−IIｃ線切断面の面積を引いた値として求められる。
【００３０】
図１（ａ）におけるIIｂ−IIｂ線からIIｄ−IIｄ線までの長さＬ４は、２５〜３０ｍｍ程度に設定されており、溝部２２の面積割合が上記した３７〜４４％の範囲で形成されている部分（Ｌ４の部分）が、軸本体の中央部分２３の長さＬ２の４５〜６０％を占めるように形成されている。
【００３１】
なお、溝部２２の面積割合は、上記した形態に限られたものではなく、３０〜５０％の範囲となるように設計されていればよく、また、溝部２２の面積割合が３０〜５０％の範囲で形成されている部分が、軸本体中央部分２３の長さの４０〜７０％を占めるように形成すればよい。
【００３２】
図２（ｃ）、（ｄ）の記載から明らかなように、軸本体中央部分２３には、その横断面の対称軸Ｚ１方向の径Ｄ１が、対称軸Ｚ１と直交する方向の径Ｄ２よりも太く形成された部分があり、軸本体中央部分２３におけるIIｃ−IIｃ線からIIｄ−IIｄ線（図１（ａ）参照）までの横断面では、対称軸Ｚ１方向に凸部２６が形成された形状となっている。例えば、径Ｄ１を６〜７ｍｍ、径Ｄ２を５ｍｍに設計することが可能である。なお、軸本体中央部分２３の横断面の径は、芯保持部２１の横断面の径より太く形成されている。
【００３３】
また、本考案に係る簡易筆記具の第２の特徴は、クリップ片３０の形状にある。図１（ｂ）及び図３に示しているようにクリップ片３０は、その下面３０ａが、枠部２５の上面２５ａと略面一となる位置に配置され、クリップ片３０における枠部２５との連結部分に、吊着するための部材、例えば、紐等を挿通するための挿通部３１が形成されている。
【００３４】
実施の形態（１）では、挿通部３１の形状が、正面視略半円弧形状に形成されているが、挿通部３１の形状はこれに限定されるものではなく、正面視逆凹型形状などでもよく、吊着するための部材を挿通できる形状であればよい。
上記実施の形態（１）に係る簡易筆記具１０によれば、軸本体２０における把持部（中央部分２３）が太径に形成され、把持部となる軸本体中央部分２３に溝部２２が形成されているので、にぎり易く、かつ軽い形態にすることができ、文字等が書き易く使用感に優れたものとすることができる。
【００３５】
また、軸本体２０の中央部分２３に形成された溝部２２の体積分ほど、軸本体２０の形成に使用するプラスチック等の材料の使用量を削減することができ、図６等に示した従来の簡易筆記具と比較して、製造コストの削減を図ることができ、同時に、軽量化も図ることができる。さらに、把持部となる軸本体２０の中央部分２３に１列以上（この場合４列）の溝部２２が形成されたことにより、筆記時には、各溝部２２に指先が適度に食い込むため、指の滑り等が防止でき、グリップ感を高めることができる。
【００３６】
また、溝部２２が形成された軸本体中央部分２３の横断面が、山の字の底辺を対称軸Ｚ１とした線対象な形状に形成されているので、軸本体中央部分２３の曲げに対する強度を高めることができ、また、溝部２２の深さを大きくとることができ、軸本体中央部分２３の曲げに対する強度を損なうことなく、軽量化及びコスト削減の効果をより一層高めることができる。
【００３７】
また、把持部となる軸本体中央部分２３の横断面の対称軸Ｚ１方向の径Ｄ１が、対称軸Ｚ１と直交する方向の径Ｄ２よりも太く形成され、対称軸Ｚ１方向に凸形状に形成されているので、にぎり易く、使用感をより優れたものとすることができる。
【００３８】
また、クリップ片３０における枠部２５との連結部分に、吊着するための部材を挿通するための挿通部３１が形成されているので、挿通部３１に、吊着するための部材、例えば、紐等を通すことができる。したがって、使用者の首等に吊るした状態で携行することが可能となり、携帯性を高めることができ、また、ポケットからの出し入れ等による紛失を防止でき、ポケット内に鉛筆芯が付着して生地が汚れるといったことも防止することができる。
【００３９】
図４は、実施の形態（２）に係る簡易筆記具を示した図であり、（ａ）は平面図、（ｂ）は正面図、（ｃ）は底面図である。また、図５は、実施の形態（２）に係る簡易筆記具の横断面形状を示した図であり、（ａ）は、図４（ａ）におけるVａ−Vａ線切断部拡大端面図、（ｂ）は図４（ａ）におけるVｂ−Vｂ線切断部拡大端面図、（ｃ）は図４（ａ）におけるVｃ−Vｃ線切断部拡大端面図、（ｄ）は図４（ａ）におけるVｄ−Vｄ線切断部拡大端面図、（ｅ）は図４（ａ）におけるVｅ−Vｅ線切断部拡大端面図である。
【００４０】
なお、実施の形態（１）に係る簡易筆記具１０と同一機能を有する構成部分には、同一機能を付し、ここではその説明を省略する。
実施の形態（２）に係る簡易筆記具１０Ａが、実施の形態（１）に係る簡易筆記具１０と相違する点は、軸本体の構成にあり、実施の形態（２）に係る簡易筆記具１０Ａでは、軸本体の中央部分に形成された溝部の一部に、軸本体を貫通する透孔が形成されている点が相違している。
【００４１】
図４に示した簡易筆記具１０Ａは、一端に鉛筆芯１１が保持された軸本体２０Ａと、軸本体２０Ａの他端に配置されたクリップ片３０とが、一体形成されたものである。
【００４２】
軸本体２０Ａは、鉛筆芯１１が保持される芯保持部２１と、軸心方向に沿って溝部２２が形成された中央部分２３Ａと、クリップ片３０と略同一形状にくり抜かれたくり抜き部２４を有する枠部２５とからなり、プラスチックで一体成形されている。
【００４３】
軸本体２０Ａの各部の長さは、例えば、芯保持部２１の長さＬ１は１０ｍｍ前後、把持部となる中央部分２３Ａの長さＬ２は５０〜５５ｍｍ程度、枠部２５の長さＬ３は４０ｍｍ前後に設定されており、鉛筆芯１１の長さを含めて全長１１０ｍｍ前後の大きさとなっている。
【００４４】
図５（ｂ）、（ｄ）等の記載から明らかなように、溝部２２が形成された軸本体中央部分２３Ａの横断面は、山の字の底辺を対称軸Ｚ１とした線対象な形状となっており、平面側と底面側とにそれぞれ２列ずつ溝部２２が形成されており、各溝部２２には、軸本体２０Ａを貫通する透孔２７が形成されている。透孔２７の長さＬ５は、２０〜３０ｍｍ程度に設定されており、中央部分２３Ａの長さＬ２の４０〜６０％程度を占めるように形成されている。
【００４５】
実施の形態（２）に係る簡易筆記具１０Ａによれば、溝部２２の一部に、軸本体２０Ａを貫通する透孔２７が形成されているので、透孔２７が形成される体積分だけ、さらに軽量化及びコスト削減を図ることができる。
【００４６】
なお、上記実施の形態（１）、（２）では、溝部２２が形成された軸本体中央部分２３、２３Ａの横断面が、山の字の底辺を対称軸Ｚ１とした線対象な形状となっている場合について説明したが、溝部２が形成された軸本体中央部分の横断面形状は、上記した形状に限定されるものではなく、例えば、横断面をＨ型形状としたり、又は凹型形状とすることもでき、軸本体中央部分の横断面における溝部の面積割合が３０〜５０％の範囲で形成されている部分が、軸本体中央部分の長さの４０〜７０％（なお、７０％以下に限定されるものではなく、７０％より大きくなっても良い）を占めるように形成され得る種々の形状を採用することができる。
【００４７】
また、上記実施の形態（１）、（２）に係る簡易筆記具１０、１０Ａでは、クリップ片３０における枠部２５との連結部分に挿通部３１が形成されているが、挿通部３１が形成されていない形態であってもよい。
【符号の説明】
【００４８】
１０、１０Ａ  簡易筆記具
１１  鉛筆芯
２０、２０Ａ  軸本体
２１  芯保持部
２２  溝部
２３、２３Ａ  中央部分
２５  枠部
３０  クリップ片
【図１】
0003152588.tif 000003
【図２】
0003152588.tif 000004
【図３】
0003152588.tif 000005
【図４】
0003152588.tif 000006
【図５】
0003152588.tif 000007
【図６】
0003152588.tif 000008
【図７】
0003152588.tif 000009
【図８】
0003152588.tif 000010